(57)【要約】      （修正有）【課題】体力を使って遊ぶ事の少なくなった現代社会に於いて、安価、簡単な仕掛けで、普及し易い事に最大の焦点を絞った、体力を使う面白い道具遊具を提供する。【解決手段】水面に浮かべたボート９の上面に、軸棒２を置き渡し、軸棒２の中央に踏み板４を固定して設け、踏み板４の前と後ろを交互に踏み、身体重量を交互に掛け替える動作を繰り返し行う事により、軸棒２にトルクが生まれ、この横棒２に取り付けられたアーム棒３と推進板６によりボートに推進力を与える。【選択図】図７
2014231351.tif 000002
【特許請求の範囲】
【請求項１】
公園等に有る遊具、シーソーからヒントを得た水上走行具であり、水面に浮かべた舟、ボート、フロート、（以下ボート（９）と言う）の上面に、進行方向を前後方向とし前後方向に対してほぼ直交する左右方向に伸ばした軸棒（２）を置き渡し、軸棒（２）の中央に踏み板（４）を固定して設け、その踏み板（４）の下部は、踏み板（４）の前後両端が交互に上下するシーソ運動が出来る空間が有る状態に設けられており、踏み板（４）の前と後ろを交互に踏み、身体重量を交互に掛け替える動作を繰り返し行う事により、踏み板（４）が上下しこれに繋がった、軸棒（２）が前回り、後ろ回りの回動運動を繰り返しトルクが生まれ、このトルクが力伝達手段によって水中に有る推進手段に伝わり、推進手段がボート（９）に推進力を与える事を特徴とする、水上走行具並びに核水上走行具を備えたボート。
【請求項２】
軸棒（２）がボート（９）の左右側端外延長上に迄伸び、その先端にアーム棒（３）をほぼ直角方向に設け、アーム棒（３）先を後方水面下水中に迄伸ばした位置に弾性材製の推進板（６）を水面と平行に設け、軸棒（２）を跨いで踏み板（４）の上に立ち、跨いだ左右の足、右足と左足に交互に身体重量を掛け替える動作を繰り返し行う事により軸棒（２）が回動を繰り返しトルクが生まれ、これに繋がったアーム棒（３）が上下運動を繰り返し、アーム棒（３）に繋がった推進板（６）も上下運動を繰り返し、魚の尾ヒレの役目を果たし、ボート（９）に推進力を与える事を特徴とする請求項１記載の水上走行具、並びに核水上走行具を備えたボート。
【請求項３】
立つ姿勢で踏み板（４）の上に乗った時、立った人間周辺の手の届く範囲に、身体重量の一部を支え負担する事の出来る、手摺、ぶら下がり棒、つり輪、のいずれか（以下手摺等（７）と言う）がボートの本体から上に突き出して設けられている請求項1、２いずれかに記載の水上走行具、並びに核水上走行具を備えたボート。
【請求項４】
軸棒（２）に踏み板（４）を固定して設ける踏み板（４）の高さ位置が、軸棒（２）の上では無く下であり、軸棒（２）下端に吊下げ部材（１３）を介して踏み板（４）が設けられており、船底により近い、転覆し難い転覆し難い低位置に踏み板（４）が設けられている請求項1、２、３いずれかに記載の水上走行具、並びに核水上走行具を備えたボート。
【発明の詳細な説明】
【技術分野】
【０００１】
この発明は人力で水上走行出来る道具遊具に関するものである。        
【背景技術】
【０００２】
エンジン等の動力を必要とせず、人力を使って走行出来る水上走行具には、ボートのオール、船の櫓、ペダルを踏む足こぎ船のスクリュー等と色々あるが、その多くは脚力、腕力を使うものであり、人体の体重を効率良く利用するものはなかった。しかし最近アクアスキッパーと言う、人体の上下運動だけで推進力を発揮する水上走行具を動画サイトで見かけた。簡単な仕組みだがよく考えられている。よく観察して見てみると、体重を沈み込む方向にかけると、水中に有るブレード（水平翼）が僅かに前傾姿勢に傾き、ブレードが前傾姿勢の為、鉛直方向に沈む時、後方へ水を押し出す水平方向への分力をも産み、沈み込みながら前進する。踏み込み運動後、少しの間は、慣性の力でアクアスキッパーと搭乗者が前進する。この時、沈み込運動から開放されたブレードは上向きに変わっており浮上する。この運動の繰り返しで前進する。非常にうまく考えられた仕掛けである。面白い道具であり若者には楽しい遊具だろう。しかし上下運動を止めると沈んでしまう特徴があるのが、体力の無い者や高齢者には何とも惜しまれる。沈没したアクアスキッパーを引き上げるのも大変だし、伴走船を付けるのも難しい。何とか上下運動を止めても沈まない面白い遊具をと考えた。アクアスキッパーにフロート（浮き）を付ければ沈没現象は解決するが、フロートはその浮力の為、沈み込む時、浮力に逆らっての動作になるので、沈み込み速度が遅くなり、沈み込みの時に生れるブレードが後方へ向かって水を押す、水平分力も小さくなり、結果、推進力が減る為、浮上走行そのものが出来なくなってしまう。とても面白い遊具なのに、上下運動を止めると水中に沈んでしまうのが非常に惜しく、非力な者や高齢者には、小さい運動でも沈まない、面白い水上走行具が欲しい。
【先行技術文献】
【特許文献】
【０００３】
【特許文献１】特開２００１１−０５７１１８号公報  揺動式横ヒレ推進人力船
【特許文献２】特開Ｈ１１−２９１９８４号公報  足漕ボート。
【特許文献３】特開２００１−１０５８６号公報  水上竹馬。
【非特許文献】
【０００４】
【非特許文献１】登録実用新案−第３０４４２７５号  ボートの手漕ぎ推進装置
【発明の概要】
【発明が解決しようとする課題】
【０００５】
今日、社会の最大課題は環境負荷の極力少ない産業雇用の創出と人々の健康である。オートメーション化は人々を長時間労働や重労働の苦しみから解放させ、楽な暮らしが出来るものと誰もが信じ、突き進んで来た。しかし結果は次々と人間が要らなくなり、職を失った多くの人々が安価至上主義に飲み込まれ、ブラック企業を象徴とするような長時間労働を強いられる者に対しても社会は解決出来ないでいる。実は企業主も賃金の安い振興国の台頭により、厳しい状況に置かれ、使用人には分らない多大な苦労を抱えているのも現実である。人間性豊かな経営者は生き延びるのが厳しい現実もある。安価至上主義は物品容器を始めとする廃棄物予備軍である大量の使い捨て商品が、産業雇用をかろうじて支えているとても難しい時代にしてしまった。処分の方法も分らない名ばかりの仮置き場を、ゴミ置き場にし、行き場の無い大量の廃棄物の大海（うみ）に人類は溺れようとしている。仕事の無い者は巷に溢れ、ストレスの行き場を何にぶつけようかと悶々としている者や、やる気を無くして空虚に部屋に閉じこもる者等、閉塞感が漂う。又社会人に成ってからの運動スポーツをする人や機会は少なく、肥満に悩み、医療介護費は、本人支払い分を含めると国家財政一般会計の約半分である。その一般会計約半分を国債に頼る。つまり殆どが未来の子供たちが背負う借金である。今必要なことは希望であり、環境負荷の極力少ない具体的な産業雇用の創出と、いじめや暴力のない健康な人を増やす、楽しい運動スポーツの振興である。本発明の最大の課題目的は、普及し易い事に最大の焦点を絞った、環境負荷の無い、面白い道具遊具の創出である。この発明は動画サイトで見かけた上下運動を止めると沈んでしまうのが非常に惜しい、アクアスキッパーのような面白い道具を、更に発展させ、体力の無い者でも楽しめる、沈没しない面白い道具遊具の提供である。屋外で遊ぶ事の少なくなった現代の青少年が、ゲーム機器、パソコン、スマートフォン等での室内ゲームに熱中し、仕事に於いては体力を使って仕事をしなくなった社会に、安価、簡単な仕掛けで、今までに無かった面白い水上走行具を提供し、普及させる事に因って、体を使う機会を増やし、運動の楽しさを実感させ、採用され易い体力使用道具の出現に因って、人々の生活に活気を与え、産業雇用の創出を即し、閉塞感に満ちた現代社会を元気にさせようとするものである。生きる事の基本は行動であり、行動が出来る為には健康な身体能力が必要になる。身体は使い過ぎると劣化し、使わないと退化する。つまり毎日適度な運動をする事が健康につながる。それには不況の現代に於いて、価格が安く、今までに無かった容易に提供され易い、面白い、楽しい遊具用具を発明する事が、具体的対策の一つだと考える。私が子供の頃、八肉弾と言う遊びがあった。かすかな記憶をたどれば、それは小学校の運動場に直径２Mくらいの円を二つ、棒切れで８の字形に描き、その周囲に幅０．５M幅程度の通路を描き、鬼は周囲の通路から８の字の中にいる人を捕まえ、鬼の数を増やし、時間が来た時、円内に残っている人の多い方が勝ちと言う遊びだった様に思う。授業の合間の僅かの休憩時間に、この遊びとドッジボールは大流行し、私にはとても楽しく面白かった���憶がある。血沸き肉踊る気持ちとはまさにこの事だった。現代っ子には血が騒ぐとか、魂が叫ぶとか、心が踊ると言った経験や感情があるのだろうか。陰湿ないじめや暴力が横行するのは何故なのか。魂を曝け出して語らない子供達の未来には一体どんな世界が待っているのか、気掛かりである。今、現代の子供がどのような遊びをしているかは知らないが、商業主義で生まれた過激なゲーム等に熱中し、ストレスを貯め、血沸き肉踊る運動を体験しないで大人になった子供は、何かが不足して大人に成るような気がする。科学的な根拠は何も無いが、子供の頃、思いっきり遊ぶ事は、大人に成った時に、精神上必要な時間である気がする。先日も広島県の山中に16歳の女子生徒が遺体で見つかり、7人もの同年代の若者が強盗殺人監禁容疑で逮捕された。現代の若者の心とはどんな気持ちなのか。食うものも着るものもロクに無く、只々、生き延びる為に、必死に働く親の姿を見て育った団塊世代の人間には想像もつかない。満ち足りた飽食の時代とは、かえって不幸な時代なのか。物が不足し飢えを満たすために必死で働けた私たちは幸せだったのかも知れない。仏典の色心不二、色即是空、空即是色、煩悩即菩提が思い起こされる。この要因には子供の頃、思いっきり遊んだ経験が無い事も一因では無いかと思う。商業主義に翻弄され、幼い時から大人の価値観を押し付けられ、英才教育だとか、脳が柔らい間にとかで、幼い時からギュウギュウ詰の、知識詰め込み教育を押しつけられて、ストレスを貯めて育った結果が、大人に成って暴発するのが、子供じみた犯行や行為をする要因の一つの様な気がする。現代では思いっきり体を使って運動する経験は、運動クラブ等の活動をしない子には、ないのかも知れない。その運動も成績重視で、県大会何位とか、国内何位とか、体罰やいじめ、暴力を用いてもの、成績ばかりが重視されるが、運動本来の持つ健全な心や楽しさを経験する事が、ないがしろにされているような気がする。成績が何位でも良いではないか、同好会でも良いではないか。順位を競う事はそれなりに意義も良い面もあり、それを否定はしないが、運動を楽しむ事だけでも良いではないか。適度に体を使うと自然に気持ちがよくなる。厳しいばかりが運動ではない、楽しいのが運動の基本だと思う。死ぬ間際まで健康でいる事こそが幸せではないか。そこで気分が爽快になる、大きな空間に身を置くことで雄大な自然を味わい、心の開放感を味わって貰いたい。水平線と水辺はこの意味で、とても適した空間だと思う。島国日本は国土の大半が山間地である、水辺の僅かな平地に大半の人が住んでいる。坂東太郎、筑紫次郎、四国三郎、不知火湾、宍道湖、須磨海岸、琵琶湖、千里浜、富士五湖、芦ノ湖、江ノ島、霞ヶ浦、猪苗代湖、洞爺湖、石巻、両津、はたまたワイキキ、、グアム、エーゲ海等。１３０億光年もの広大な宇宙に、たった一つ、確認されている生命体の住む、水の惑星、地球、その親水水面で身体能力を最大限に引き出して、水を楽しめる面白い技術の一つが本発明の考え方だと思う。
【０００６】
よく似た考え方の先行技術として特許文献１の特開２０１１−０５７１１８号公報、揺動式横ヒレ推進人力船があるが既存の船には対応できなく、船体其の物から新しく作る必要があり、実際に転覆しないで使えるのかも疑問であり、普及はしないだろう。
【０００７】
似た考え方の先行技術として特許文献２の特開Ｈ１１−２９１９８４号公報、足漕ボート。があるが、これも既存船体そのまま使う事では対応できず、改造又は新設する必要に迫られるので、普及はし難いだろう。船体に穴を開けて動力を水中に伝達する止水技術は安価では無く、動力を起こす方法も、関節の痛む者には出来難い、膝の曲げ伸ばしを大きく必要とするペダルをこぐ方式である。
【０００８】
似た考え方の先行技術として特許文献３の特開２００１−１０５８６号公報、水上竹馬は図面が少ないので良く分からないが、原動力が手で漕ぐのであれば体重を足から伝える本発明とは違う考え方であり、フロートを足で踏んで体重を掛け、フロートの後ろに付いているフイン、ヒレを振り動かして推進力を得るのであれば、体重を掛けて踏み沈み込む力がフロートの持つ浮力の分だけ差し引かれ、小さい推進力となってしまうので、体重を効率良く有効に推進エネルギーに変えたい本発明とは全く違うものである。
【０００９】
先行技術としての登録実用新案、第３０４４２７５号、ボートの手漕ぎ推進装置は腕力による手漕ぎ推進具なので身体体重を利用しようとする本発明とは発想が異なる。その他推進装置を船体を貫通して船内から水中へ伝える物は構造的に簡素でなく、結果、価格的にも安価で無いので、普及し難い。その他フロート、浮力体等、浮力に逆らって上下運動さすものは、浮力に逆らう分だけ源エネルギーから推進エネルギーへの変換効率が悪く、推進力に変換される割合が小さい。また船体其のものを揺すったりする考え方も、質量の大きい物を動かすのにエネルギーを浪費するので、効率的な推進力に成らない。
【００１０】
今、個人の所有物は昔に比べ膨大になった、ボートなど嵩の大きいものは家屋や敷地の大きい家でないと置き場がない。従って使用頻度の低いものに、費用やスペースを占領されるのは無駄であり、採用はされ難く普及し難いだろう。本発明の水上走行具は電気もガソリンも不要な人力を有効に推進力に変換出来る楽しい用具であり、簡単で単純な為、分解が容易で嵩張らず、ボート本体も、既存ボートや空気注入式の折り畳みの出来るゴムボートにも採用できるので、普及し易い。また水害が頻発する現代、動力不要の普及し易いボートの必要性も高まるだろう。
【課題を解決するための手段】
【００１１】
請求項１の発明は公園等に有る遊具、シーソーからヒントを得た水上走行具であり、水面に浮かべた舟、ボート、フロート、（以下ボート（９）と言う）の上面に、進行方向を前後方向とし前後方向に対してほぼ直交する左右方向に伸ばした軸棒（２）を置き渡し、軸棒（２）の中央に踏み板（４）を固定して設け、その踏み板（４）の下部は、踏み板（４）の前後両端が交互に上下するシーソ運動が出来る空間が有る状態に設けられており、踏み板（４）の前と後ろを交互に踏み、身体重量を交互に掛け替える動作を繰り返し行う事により、踏み板（４）が上下しこれに繋がった、軸棒（２）が前回り、後ろ回りの回動運動を繰り返しトルクが生まれ、このトルクが力伝達手段によって水中に有る推進手段に伝わり、推進手段がボート（９）に推進力を与える事を特徴とする水上走行具、並びに核水上走行具を備えたボートである。フロートとは水面に浮かぶ浮体、ボート、船を指す。シーソは支軸の上に板を掛け渡し、その両端に人が座り、互いに地面を蹴ることで、双方の人間が上下運動を繰り返して遊ぶ遊具である。人間は歩行動物なので動作の基本が足腰であり、足腰は身体重量を支えて動ける運動能力が一番高く、且つ丈夫である。この能力を活かして船の推進力に変えるのが、軸棒（２）に固定して繋がった踏み板（４）であり、軸棒（２）を跨いで踏み板（４）の上に立ち、跨いだ左右の足、右足と左足に交互に身体重量を掛け替える動作を繰り返し行う事により軸棒が前回り、後ろ回りと交互に回動を繰り返し、トルクが発生する。このトルクを利用して水中の推進具に力を与え、水を押し、その反力でボートを前進さそうとするものである。
【００１２】
更に大型船にする場合、一人の足の右足、左足、交互でなくても二人が乗って、一人が右足の位置、もう一人が、左足の位置に立って、シーソーの様に左右が交互に上下する運動を繰り返すことで推進力が生まれる。図１にはアーム棒（３）が左右舷（１）の外側に付いているが、双胴船の場合は左右舷の代わりとなる左右双胴の内側にアーム棒（３）を設ける事も出来、双胴船の幅寸法内で推進手段を設ける事が可能となる。
【００１３】
推進具には色々な方法が考えられ、図１に示す、魚の尾ヒレの動きに似たアーム棒（３）の先に繋がった弾力性の推進板（６）を上下に振る方法や、爪と歯車を利用し、一方方向にだけ回転するラチエット機構を利用した水車を回す外輪船の方法や、図４に示す、しならない丁番状の推進板（６）をアーム棒（３）先に取り付け、アーム棒（３）を軸棒（２）から鉛直方向水中に迄伸ばし下ろし、軸棒（２）を回転軸とし下向き鉛直線状態を基本姿勢とし、前後角、各々４５度、全幅角度９０度の円弧範囲で水中を前後に振り動かし、アーム棒（３）が前に振れ動く時は推進板が閉じ、アーム棒（３）が後ろに動く時は推進板が開き、水を押し推進力を得る機構を採用する。閉じ開きの軸はメガネのツルと同じ構造の丁番にスプリングを付け、何時も弱い力で丁番を開けようとする力が働いていて、スプリングの力に打ち勝ち、閉じ状態で前向きに回動し、後方に回動する時はスプリングの力で推進板（６）が閉じ状態から開き状態に変化するきっかけとなり、早い時間で丁番状の推進板（６）が開き、開き始めて後方へ回動すると水圧で推進板が全開し水を蹴る時間が早く長くとれる。他にも軸棒（２）とアーム棒（３）の交差部に傘歯車とラチエット機構を利用し、水中に没するアーム棒（３）先にスクリューを付けて一方向にのみスクリューを回す事等、トルクを推進力に変換す方法は色々あるので、これらの技術を取り入れる事で多様な遊具が創出出来る。
【００１４】
請求項２の発明は軸棒（２）がボート（９）の左右側端外延長上に迄伸び、その先端にアーム棒（３）をほぼ直角方向に設け、アーム棒（３）先を後方水面下水中に迄伸ばした位置に弾性材製の推進板（６）を水面と平行に設け、軸棒（２）を跨いで踏み板（４）の上に立ち、跨いだ左右の足、右足と左足に交互に身体重量を掛け替える動作を繰り返し行う事により軸棒（２）が回動を繰り返しトルクが生まれ、これに繋がったアーム棒（３）が上下運動を繰り返し、アーム棒（３）に繋がった推進板（６）も上下運動を繰り返し、魚の尾ヒレの役目を果たし、ボート（９）に推進力を与える事を特徴とする請求項１記載の水上走行具、並びに核水上走行具を備えたボートである。踏み板（４）が水平状態にある時に、水中に向かうアーム棒（３）の角度を水平から後方下へ角度約３０度程下がった形状位置にして、クランプ（８）を締め付け固定し、これに繋がった水中に有る推進板（６）は、踏み板（４）が水平状態にある時に推進板（６）も水平状態になる位置にセットし推進板前端で固定する。踏み板（４）の前後を交互に踏み変えるとアーム棒（３）が円弧形状を描きながら水中を上下する。すると弾性材製の推進板（６）も上下し、弾性材製の推進板は魚の尾ヒレを上下に振り動かした状態にしなり、水を押す。その時の水平分力が推進力と成ってボートを前進さす。係止部（１０）とは軸棒（２）がボート本体に係止する凹み又は溝又は穴である。又アーム棒（３）の回動範囲を大きく取れる様に、踏み板（４）の内部船底迄の距離寸法を大きくとって、推進板（６）が限りなく鉛直方向に近づく角度で踏み板（４）の上に立ち続けると推進板（６）がブレーキの役目を果たす事も出来る。
【００１５】
遊園地等に有るオールを漕ぐ既存ボートの多くには、オールを左右舷に係止する竪穴が左右舷の上に開いており、ここに上端がＵ字状に開いた金属製棒状のオール受け金具が差し込んであり、この金具にオールを差し込んでボートを漕ぐ形状の物が多い。この場合本発明の軸棒（２）をＵ字状に空いた金属製のオール受け金具に落とし込むと係止部（１０）を新たに設ける事は不要で、既存部材が使えて無駄がない。
【００１６】
図９に示す様にボートがサーフボードの場合、ボード板上面は水平面ではなく曲面状にそっているので、水平面にする為のパッキン材（１８）又は噛まし物を、踏み板（４）中央部の下に敷き込み、軸棒（２）と踏み板（４）が水平状態で支持される様にする。そして踏み板（４）を水平の直線状では無しに、逆への字形にして、踏み板（４）の前後両端下部に空間を作り、上下運動が出来る空間が確保出来る形にするか、又は水平直線状の踏み板（４）の中央下部に断面Ｖ字型又は三角形の金物を設け踏み板に固定し、踏み板幅より大きい長さの線状の接点でパッキン材又は噛まし物を介してサーフボード板上面に接する様にする。この事で踏み板（４）の前後両端は上下運動が可能に成り、軸棒（２）が回動出来る。波乗り目的のサーフィン用ボードが、波の無い鏡面の様な水面であっても、水上走行具として楽しめる。パッキン材又は噛まし物を、幅広のゴムバンドでサーフボードの胴体に巻き付け固定出来る様にすれば、既存のサーフボードを簡単にサーフィンと水上走行具の二通りの楽しみ方が出来る物にする事が出来る。この場合は手摺を設けても良いが、スポーツ用具としては無い方が面白いし、フロートを付けたステッキポールを持って乗っても面白い。転倒しステッキポールを離しても、浮いたステッキポールを回収できる。
【００１７】
請求項３の発明は立つ姿勢で踏み板（４）の上に乗った時、立った人間周辺の手の届く範囲に、身体重量の一部を支え負担する事の出来る、手摺、ぶら下がり棒、つり輪、のいずれか（以下手摺等（７）と言う）がボートの本体から上に突き出して設けられている請求項1、２いずれかに記載の水上走行具、並びに核水上走行具を備えたボートである。ボートは水面上に浮かんでいるので、よく揺れる、本発明は小舟上に立つ姿勢で推進力を得る姿勢になるので、重心が高く不安定である。この時倒れない様に、手摺、つかまり棒、つり輪（つり革）等の転倒防止策があれば倒れ難い。更にこの手摺等は身体体重を支える事が出来る事が本発明には重要で、踏み板（４）の前片側に両足で立ち、ジャンプ等の上下運動で推進力を得ようとする場合、踏み板（４）の前片側下端に押しバネを付けておくと、飛び上がる時には手摺に体重を負担させると、少ない脚力でジャンプする事が出来、降下する時は手摺に加えている体重を抜く事で踏み板（４）に全体重が掛かるので左右の足で踏み板（４）を交互に踏むことが出来難い人、例えば片足の人の場合、バネの力が常に踏み板（４）の片方を持ち上げる方向に働いているので、一人でも踏み板（４）の上下運動が可能となる。この理屈で両足で前側に立ちジャンプを繰り返しても、軸棒は回動する。
【００１８】
請求項４の発明は軸棒（２）に踏み板（４）を固定して設ける踏み板（４）の高さ位置が、軸棒（２）の上では無く下であり、軸棒（２）下端に吊下げ部材（１３）を介して踏み板（４）が設けられており、船底により近い、転覆し難い低位置に踏み板（４）が設けられている請求項1、２、３いずれかに記載の水上走行具、並びに核水上走行具を備えたボートである。踏み板（４）下端と船底との隙間寸法は上下する踏み板（４）の下降に必要な寸法さえあれば良く、低いほど重心が低くなるので安定度が上がり転覆しにくい。特に本発明に於いては、転覆のし易い、小型船に立って上下運動を繰り返す事で推進力を得ようとしているので、重心が低くなる事は特に重要である。
【発明の効果】
【００１９】
この発明は以上の様に、前記発明が解決しようとする課題を解決したものである。すなわち従来に無かった身体体重を効率良くボートの推進力に変換する事で、面白い体力使用の遊具を創造し、既存の船体や、サーフボード、折り畳んで嵩を小さく出来るゴムボートにも利用する事が出来、安価で簡単、面白い、道具遊具が、普及し易く提供できる。団塊世代の私は現在、階段を降りる時、膝が少し痛む。関節の軟骨が磨り減ってきているのだと思う。従って膝に荷重を掛けながらの曲げ伸ばしは辛い。そんな私でもボートの進行方向に向かって立つのではなく、横向きに立って左右の足を広げ軸棒を跨いで踏み板(４）の上に立ち体重を左右交互に掛けかえる運動を繰り返す事でボートが前進する。手摺に掴まりながらの運動だが、若ければ手摺なしでも出来るだろうし、その方が遊具としては面白い。
【００２０】
シーソーは二人が支点である軸棒に乗せられた板に跨り座り乗って、足で地を蹴って交互に上下運動を繰り返す遊具である。本発明は板を軸棒に固定するので板が上下運動をする時、軸棒に回動運動を起こし、トルク（モーメント、偶力）が起き、軸棒に繋がれたアーム棒（３）等の動力伝達機構が推進具に伝わり、水を推しボートが進む事を利用した水上走行具であるが、地を蹴って上下運動を起こすのではなく、板の上に乗って立ち、身体重量を軸棒を跨いだ板の左右に交互に荷重を掛ける事に因って軸棒の回動運動を起こすものである。即ち身体荷重を前後又は左右に交互に掛け変る動作で、軸棒にトルクを起こし、軸棒に繋がれた推進具で水を推しボートが進む水上走行具である。従って体重移動動作がボートの推進力になる。起立姿勢は人間の基本姿勢であるので、身体構造は起立姿勢が最も力の発揮に適した構造になっている。この姿勢で体重を左右両足に掛け替える動作で推進力が発生するので、少ない運動量で、身体重力を加えた大きい運動量を、推進具に伝える事が出来、身体運動を推進力に変える効率の非常に高い手段といえる。身体の向きは前向き、横向き、後ろ向き、いずれでも可能なので、多様な身体機能に対応出来る。更に軸棒からの踏み位置、遠近を変える事で、（軸棒（２）に働くモーメント（偶力）の大きさを変える事が出来る。テコの原理の距離寸法が変わるからである。自転車のペダルだと軸棒（２）に働くトルク、モーメント（偶力）を変えるにはギヤの直径を変える変速ギヤ等が必要となるが、踏み板(４）は複雑で重たくなる機構無しに、モーメント（偶力）を簡単に変える事ができる。又大きさにもよるが、疲れた場合は踏み板(４）を背もたれとして寝る姿勢で休憩する事も出来る。手摺にテントかシートを被せれば陽射しを避ける事も出来、ゆっくり休憩出来る。この遊具を使って多くの人が水に親しみ、運動生活を楽しみ、ピンピンころりと、死ぬ直前迄元気な人を増やし、ネンネンころりと長いあいだ寝たきりの人を減らし、特に若者にとっては心の底から面白くなる様な、体を使う運動を楽しみ、面白みを味わい経験し、閉塞感を打ち破る元気な人に成って貰いたい。
【００２１】
又展開要素としてカヌーやサーフボードの様な転覆し易い船体の場合には、アウトリガーを取り付ける事で、細長い船体であっても本発明が利用できる。サーフボードの場合、脱着は簡単なので、千葉県の御宿で、波のある日はサーフィン、凪の日は水上散歩として楽しく多様に使える。又この発明を見てヨットにも付けられる様な改良品を作る人が出てくれば、夏の真昼、琵琶湖の沖合で無風状態に何時間も晒された私の苦い経験も解消される。この発明をきっかけとして、環境負荷の無い面白いものを色んな人が考え、雇用が創出される事を願う。
【００２２】
コンピュータ化が進むほど体力を使う仕事や雇用が減り、遊びにおいても体力を使う遊びが少なく成った。牛乳はいくら飲んでも、身体に運動負荷をかけない限り、骨には成らないらしい。ベッドで寝たきり状態になると、若者でも一ヶ月で歩けなくなる。つまり毎日、適度な運動をしなければ健康は維持できない。エネルギー問題が大きくのしかかる景気の悪い、重く閉塞感の漂った世の中で、電気やガソリンのエネルギーを使うことなく、体力だけで面白く遊べる遊具を提供する事で、世の中を元気に明るくする事に貢献できる。更に水の関連する災害が多発する現代に於いて、救急、行方不明者搜索とボートの必要性は高まり、安価で簡単な仕組みのボートは普及し易く、採用され易い。
【図面の簡単な説明】
【００２３】
【図１】本発明の使用状態の一例を表わす斜視図。
【図２】本発明の代表一例を表わす斜視図。
【図３】舵を付けた実施例を表わす斜視図。
【図４】他の、舵と推進板実施例の斜視図、部分詳細図。
【図５】軸棒、垂木クランプ、吊り下げ部材詳細図。
【図６】クランプを示す斜視図二例。
【図７】ゴムボートの場合の実施例を表わす平面図、横断面図。
【図８】推進板が船底下にある、実施例を表わす斜視図
【図９】サーフボードの場合の実施例を表わす斜視図
【発明を実施するための形態】
【００２４】
図１に示すのは既存ボートに本発明の水上走行具を備えたボートの実施例の斜視図と、使用者を点線で描いた、使い方をイメージする斜視図である。この図面と特許請求項を読めば大体お分かりいただけると思うが、詳細は実施例にて順次説明する
【実施例１】
【００２５】
図２に示す物は遊園地等によくある既存のボートに、本発明の水上走行具を備えたボートを左後方斜めから見た斜視図である。（１）はボートの舷（側壁）である。（２）は左右の舷上に掛け渡した軸棒である、建築足場に使われる単管と呼ばれる鋼管、直径４８、６ｍｍを使っている。軸棒の長さ方向移動防止の為にフランジ（１４）を設けているが無くても良い、フランジが無い場合は軸棒の長さ方向への移動が出来るので、左右に移動さす事により、両側推進力位置とボート中心位置が変わるので、進行方向を変える事が出来る。軸棒（２）へのフランジ（１４）の取り付け位置は舷の内外どちらでも良いが、図面は左右舷の内側に設けて、ボルトで軸棒（２）へ締め付け固定としているので、位置は船幅に合わせて移動する事が可能である。又フランジ（１４）を片側舷（１）の内外から挟み込む形でも良い。この場合少しクリアランスを持たして挟み込めば、反対側の軸棒（２）のフランジの無い方を前後に動かす事でボート長さ方向中心線が軸棒と直交しなくなり、傾くので、舵無しに進行方向を変える事が出来る。前記の左右共にフランジが無い場合より、この方が使い易いかも知れない。安定的に使用する為、軸棒（２）が舷上面を前後に移動しない為に係止部（１０）を設けている。図面は前後に木製のブロック二個を軸棒が納まる間隔寸法を開けて、舷（１）にビス止している。係止部（１０）は、簡単には凹み又は溝である。回動摩擦抵抗を減らすためボールベアリングを仕込むのが理想的である。しかし係止部（１０）は必須条件では無い。例えばボートの舷（１）と軸棒（２）が接する位置の摩擦係数を高くしておけば、軸棒（２）が回動する時、軸棒（２）は舷（１）の上をコロの様に転がるが、接触摩擦力で推進具の出す力を舷上面を介してボートに伝えるので、必ず必要とはしないが伝達損失は否めない。若者が遊具として使う場合はこの様な、操作の難しい物の方が面白い場合があるが、使いにくい点もあり、通常は係止部（１０）がある方が良い。
【００２６】
図２に示す物は基本的には舵が付いていないので、適当な長さ、例えば１、５ｍ程のオールを手摺入隅内に立て掛けておいて、進路を曲げたい時は、曲がりたい方の軸棒（２）の前の水中にオールの刃を差し込むと水の抵抗により方向が変わる。この場合、前向きに立っている方が左右どちらの方向にも曲がりやすい。オールと軸棒（２）の接点より、オールの手元と水面迄の長さは、手元迄の方が通常長いので、テコの原理により、軽い力でオールを保持している事が出来、片手で手摺を持ち、もう一方の片手でオールを保持しながら踏み板(４）を交互に踏み続けると進行しながら方向転換ができる。
【００２７】
反対に軸棒（２）を舷（１）に対して安定的且つ簡単に取り付ける手段として、係止部（１０）を図２の左下詳細斜視図に示す様に、軸棒（２）が挟める内幅の長さ５ｃｍ程の上開きコの字状断面の金物と舷（１）が挟める下開きコの字状断面の金物の背中同士をピン等で回動可能に繋いだ軸受金物（１７）を作り係止部（１０）とし、舷（１）の天端にこの軸受金物（１７）を被せ、軸受金物外側面に雌ネジを切り、蝶ボルトを嵌め込み、締め付ける事で舷（１）に係止さす事で、安定した脱着が早く出来る。図７に示すゴムボートの様に、舷（１）の幅の広い物であっても、ゴムボートとの接触面にクッション材を設けて、長さを大きく取った接触面積の広い係止部（１０）の取り付け部を木製等で作ることで単位面積当たりの挟み込み荷重が小さい、ゴムボートの破れにくい係止部取付け部（１９）に係止部（１０）を設ける事が出来る。
【００２８】
軸棒（２）の左右先端にはアーム棒（３）が軸棒（２）に対して直角に、取り付けられている、取り付け部材は建築足場に使われるクランプ（８）である。クランプは図６に示す単管パイプ同士の外径を包み締め付ける金具なので、このクランプによりアーム棒（３）の水面との角度調節と長さ調節が任意に変更出来る。アーム棒（３）は水中の推進板（６）が上下に振られた時、水面上に顔を出さない深さまで伸びる距離長さとするが実施例は１Ｍとした。アーム棒（３）の長さを長くすると、踏む力（ちから）はいるが推進力は大きく成るので、体重の大きい人は踏み板の同じ位置を踏んでもボートの進行速度を早くする事が出来る。踏み板の軸棒（２）から、より離れた位置を踏む事でもモーメントを上げる事が出来る。
【００２９】
アーム棒（３）の先にはチーズ金物によって支骨棒（５）が進行方向に対して直角に設けられている。図１にはチーズ金物にパイプを差込み固定させ、ステンレス製の推進板（６）をパイプに巻き付け固定させているが、支骨棒（５）はボートが進行する時、水の抵抗を受ける受圧面積の小さい方が良いので薄い方が良い。実施作品はステンレス製のフラットバー２×５０を二枚重ねにして、その間にステンレス製の推進板（６）を挟み支骨棒ごとボルトナットで締め付けた。
【００３０】
支骨棒（５）の先には弾性材製の推進板（６）が水平方向後方に設けられている。材質はステンレス板０、５ｍｍ厚、縦横寸法４５０ｍｍ角の板である。アーム棒（３）が上下に弧を描いて振られると支骨棒（５）も追随して上下に振られる。支骨棒（５）に繋がれた推進板（６）は支骨棒（５）芯を軸とした円弧運動を水中で強制されるが、水の抵抗により、しなりながら上下円弧運動を繰り返す。すると水を押す水平分力が軸棒（２）に伝わり、結果ボートが前進する。魚の尾びれと同じ原理である。今後の実験課題として魚の尾びれの様に、平面型裾広がり、断面形は根元から先端に行く程厚みが薄くなるものや、リブの付いた物で推進力の効果の差を試し、データーを取ろうと思っている。
【００３１】
推進板（６）を動かす動力源位置は軸棒（２）に固定して繋がれた踏み板（４）である。踏み板（４）は長さ８０ｃｍ幅３０ｃｍ厚み４ｃｍの木製板とした。図５に示す様に軸棒（２）と踏み板（４）の間には垂木クランプ（１２）とビスを使って、吊り下げ部材（１３）を介して踏み板（４）を吊り下げ固定している。これは乗船者の重心を少しでも下げ、船の転覆を防ぐ為である。ボート舷（１）天端と、内側船底迄の高さ距離寸法は約４０ｃｍである。踏み板の踏み下げ運動に適当な寸法は実験では１５ｃｍ位なので、踏み板（４）の厚み４ｃｍを差し引いても２１ｃｍは下げられるので吊り下げ部材（１３）は高さ２０ｃｍの木製のブロックを木ビスで垂木クランプ（１２）を介して踏み板に固定した。踏み板（４）の下端出角にはクッション材としてゴムタイヤの切れ端を打ち付けた。踏み板の上面は滑り止めの桟を打った。
【００３２】
手摺等（７）には直径２８ｍｍの樹脂皮膜がされた市販鋼管を使用した。足元の舷（１）への取り付け部は舷を挟める寸法の断面形状コの字形の挟止具（１１）を３ｍｍ厚の鋼板を曲げ加工し長さは１０ｃｍとし、ボルト穴を開けメネジを切り、上から左右の舷（１）に嵌め込み、外側からボルト締めで挟み込める様にした。上面には内径２８ｍｍの鋼管を溶接固定し、樹脂皮膜鋼管が差し込めるようにした。市販されている樹脂皮膜鋼管には様々な役物が有り、ベース役物を、舷（１）上面位置にビス止めしても良い。役物には三方チーズも有り、柱部と水平手摺部材との交点は三方チーズを差し込んでビス止めすると、よりしっかりする。、実施例は片付ける際に嵩張るので、ベース部は差し込むだけにした。手摺等（７）はボルトを緩めて引き抜くだけで、軸棒（２）等は引き上げるだけでボート本体から離れるので分解収納も簡単で有り、普及し易い。
【００３３】
図４に示す様に手摺等（７）の立てパイプの左右両側前立て管外側に、もう一本の立て管を平行に水中に迄伸ばし、回動可能に沿わし設け、その先にステンレス製の厚み１ｍｍ縦横３０ｃｍ角の板を舵として設けた。立て管の上部はエルボを使って、手摺の進行方向と並行した水平管と平行にハンドルに成る菅を舵棒（１６）として設けた。ボートの進行方向が直進の時は舵板（１５）も進行方向に平行であり、曲る時は左右どちらかの舵棒（１６）を操作する事で舵板が水の抵抗を受け、その方向に曲る。
【実施例２】
【００３４】
図７に示す様にゴムボートの場合は内部底に、底板としてボート内部形状に切り合わした大きさのコンパネ（コンクリート型枠用合板）を敷き、左右両側は長さ１ｍのツーバイフォー材３９×８９をコンパネ上に敷沿わしビス止めし、この上に舷（１）を挟み包み込む長さ９０ｃｍ、横断面形状コの字型の係止部取付け部（１９）をツーバイフォー材とコンパネを使って係止部（１）が止められる様にした。これを胴状の舷（１）の上に被せ、内部底に、敷いたコンパネ上のツーバイフォー材３９×８９とを穴開きステンアングル（２０）寸法５０×５０を入隅に設けてビス止めで繋いだ。その他は前記述べた技術に同じである。
【実施例３】
【００３５】
図９に示す様にボートがサーフボードの場合、ボード板上面は水平面ではなく曲面状にそっているので、水平面にする為に木製のパッキン材（１８）を曲面に合わして削り噛まし、踏み板（４）中央部の下に敷き込み、軸棒（２）と踏み板（４）が水平状態で支持される様にした。そして踏み板（４）を水平の直線状では無しに、逆への字形にして、踏み板（４）の前後両端下部に空間を作り、上下運動が出来る形にする事も出来る。水平直線状の踏み板（４）の中央下部に断面形状三角筒の金物を設け、その中に軸棒（２）挿入貫通させ溶接し、踏み板の上から鉄板ビスで三角筒上面を貫通させて軸棒（２）に止めた。木製のパッキン材（１８）は幅広のゴム板でサーフボードの胴体全周を巻き込んで止めた。結果、線状の接点でパッキン材又は噛まし物を介して踏み板（４）が水平状態でサーフボード板上面に接する事が出来た。踏み板（４）の前後両端は上下運動が可能に成り、軸棒（２）が回動出来た。波乗り目的のサーフィン用ボードが、波の無い鏡面の様な水面であっても、水上走行具として楽しむ事が出来る。幅広のゴムバンドをでサーフボード先端からはめ込む大きさに作ると簡単な脱着作業で、既存のサーフボードをサーフィンと水上走行具の二通りの楽しみ方が出来る遊具にする事が出来る。このサーフボードの場合は手摺を設けても良いが、スポーツ用具としては無い方が面白いし、フロート付きの沈まないステッキポール（杖）を持って乗っても面白い。転覆してもフロート付きの沈まないステッキポールは回収できる。
【産業上の利用可能性】
【００３６】
踊りは芸術の最高の形態の姿であるとニーチェは言ったらしい。人は喜びをダンスに表現する。ステップを踏むと楽しくなるのは人間の本能である。本発明はステップを踏むダンスの様相にも似ている。楽しい、面白いは生きている事の喜びである。この発明は、既存の船体や折り畳みが出来る嵩張らない空気注入式のゴムボートにも利用できる、水上走行具、並びに核水上走行具を備えたボートであり、親水用具としての遊具や、ボートとして使え、魚釣、水泳等、水のある大空間に身を置き、ストレスの発散にも大いに貢献できる運動具に利用できる。面白い遊具なので普及し易く、健康促進の運動具、雇用の創出、水害時の救急救命具等にもに利用出来、採用企業が出てくる事を願うものである。
【符号の説明】
【００３７】
１、舷
２、軸棒
３、アーム棒
４、踏み板
５、支骨棒
６、推進板
７、手摺等
８、クランプ
９、ボート
１０、係止部
１１、挟止具
１２、垂木クランプ
１３、吊下げ部材
１４、フランジ
１５、舵
１６、舵棒
１７、軸受金物
１８、パッキン材
１９、係止部取付け部
２０、穴開きステンアングル
【図１】
2014231351.tif 000003
【図２】
2014231351.tif 000004
【図３】
2014231351.tif 000005
【図４】
2014231351.tif 000006
【図５】
2014231351.tif 000007
【図６】
2014231351.tif 000008
【図７】
2014231351.tif 000009
【図８】
2014231351.tif 000010
【図９】
2014231351.tif 000011